(57)【要約】【課題】明らかに異なるサイズの対象物の検査に対して、従来に比べて機械的に簡素化され、コンパクト且つ迅速なＸ線ＣＴ検査装置を提供する。【解決手段】本発明は、焦点２から所定距離に置かれた検出器４の全体が扇状ビーム３又は円錐ビームのＸ線を生成する焦点２を有するＸ線管１を備えるとともに、検査される対象物を支持するための、扇状ビーム３の平面に対して又は円錐ビームの中心軸６に対して垂直に回転可能な回転軸５を有する検査台車を備えたＸ線ＣＴ検査装置に関する。本発明に従い、検査台車は少なくとも１つの測定点１５に固定可能であり、焦点２から広がり且つ扇状ビーム３又は円錐ビームの中心軸６に対して傾斜角αを含む測定線９上に回転軸５があるように、これら各測定点１５が配置される。また、特に異なるサイズの対象物を本発明に従うＸ線ＣＴ検査装置によって検査するＣＴ方法にも関連する。【選択図】図１
2008064758.tif 000002
【特許請求の範囲】
【請求項１】
焦点（２）から所定の距離に置かれた検出器（４）の全体にＸ線を照射する、扇状ビーム（３）又は円錐ビームを作り出す焦点（２）を有するＸ線管（１）と、扇状ビーム（３）の平面又は円錐ビームの中心軸（６）に対して垂直に回転可能な回転軸（５）を有する、検査される対象物を受けるための検査台車とを備えるＸ線ＣＴ検査装置であって、
検査台車は、少なくとも１つの測定点（１５）に固定可能であり、焦点（２）から出て扇状ビーム（３）又は円錐ビームの中心軸（６）に対して傾斜角（α）を含む測定線（９）上に回転軸（５）が位置するように、これら各測定点（１５）が配置されることを特徴とするＸ線ＣＴ検査装置。
【請求項２】
傾斜角（α）が５°から４０°の間にあり、特に１５°であることを特徴とする請求項１に記載のＸ線ＣＴ検査装置。
【請求項３】
測定線（９）が検出器（４）の表面に直交することを特徴とする請求項１又は２に記載のＸ線ＣＴ検査装置。
【請求項４】
検出器（４）はドライブユニットと接続され、扇状ビーム（３）の平面内において、又は、円錐ビームの場合には検出器（４）の平面内において、測定線（９）に対して垂直に変位可能であることを特徴とする請求項３に記載のＸ線ＣＴ検査装置。
【請求項５】
中心軸（６）が統合された検出器と中心的に交わり、それは、その動きに基づく端の位置に起因することを特徴とする請求項４に記載のＸ線ＣＴ検査装置。
【請求項６】
扇状ビーム（３）又は円錐ビームの中心軸（６）が検出器（４）の表面に直交することを特徴とする請求項１又は２に記載のＸ線ＣＴ検査装置。
【請求項７】
検査台車が測定線（９）上の測定点（１５）において連続的に固定可能であることを特徴とする請求項１〜６のいずれか一項に記載のＸ線ＣＴ検査装置。
【請求項８】
測定線（９）は、検査台車が移動可能なガイドレールによって具体化されることを特徴とする請求項１〜７のいずれか一項に記載のＸ線ＣＴ検査装置。
【請求項９】
検査される対象物が固定される検査台車は、全ての測定点（１５）において、自由回転（１０）することを特徴とする請求項１〜８のいずれか一項に記載のＸ線ＣＴ検査装置。
【請求項１０】
後者は、対象物の回転（１０）の間、全ての測定点（１５）において、焦点（２）から出て検出器（４）とその端（１１）で交わる境界光線（７，８）の中に常にとどまることを特徴とする請求項１〜９のいずれか一項に記載のＸ線ＣＴ検査装置。
【請求項１１】
位置調整の後に検査のために検査台車の回転軸（５）の周りで対象物が回転する、請求項１〜１０のいずれか一項に記載のＸ線ＣＴ検査装置を用いて対象物を検査するＣＴ方法であって、
回転軸（５）の周りでの回転の間、対象物が２つの境界光線（７，８）を超えて突出ないように、扇状ビーム（３）内の測定線（９）上の検査台車の位置調整が行われることを特徴とするＣＴ方法。
【請求項１２】
請求項１〜１０のいずれか一項に記載のＸ線ＣＴ検査装置を用いて対象物を検査するＣＴ方法であって、
対象物の位置調整がそのサイズに依存し、位置調整の後に検査のために検査台車の回転軸（５）の周りで対象物が回転され、扇状ビーム（３）又は円錐ビームに全体的にカバーされるほど小さい第１の対象物の場合には、できる限り焦点（２）の近傍に回転軸（５）が置かれ、より大きい第２の対象物の場合には、できる限り検出器（４）の近傍に回転軸（５）が置かれ、回転軸（５）についての回転の間回転軸（５）と焦点（２）との距離は、第２の対象物が回転軸（５）の周りでの回転の間に２つの境界光線（７，８）を超えて突出しないように選択されることを特徴とするＣＴ方法。
【請求項１３】
第１の対象物は、検査のために、焦点（２）から離れて測定線（９）上に配置され、検査全体に亘って扇状ビーム（３）又は円錐包絡線ビームを超えて突出しないことを特徴とする請求項１２に記載のＣＴ方法。
【請求項１４】
第２の対象物は、検査のために、焦点（２）から離れて測定線（９）上に配置され、検査全体に亘って２つの境界光線（７，８）を超えて突出しないことを特徴とする請求項１２又は１３に記載のＣＴ方法。
【請求項１５】
測定の間、検出器（４）がその一端位置から他端位置までドライブユニットによって移動することを特徴とする請求項１１から１４のいずれか一項に記載のＣＴ方法。
【発明の詳細な説明】
【技術分野】
【０００１】
本発明は、焦点から所定距離に置かれた検出器の全体が扇状ビーム（ファンビーム）又は円錐ビームのＸ線を生成する焦点を有するＸ線管を備えるとともに、検査される対象物を支持するための、扇状ビームの平面に対して又は円錐ビームの中心軸に対して垂直に回転可能な回転軸を有する検査台車を備えたＸ線ＣＴ検査装置に関する。本発明は、上で述べられたＸ線ＣＴ検査装置によって、特に異なるサイズの対象物を検査するＣＴ方法にも関連する。
【背景技術】
【０００２】
現在、産業用のコンピュータ断層撮影法（ＣＴ）には、二つの検査方法がある。一方は、並進／回転断層撮影法（第二世代）であり、他方は、扇状ビーム断層撮影法（第三世代）である。どちらの場合も、一次元の検出器の全体にＸ線を照射する扇状ビームは、Ｘ線源の中心である焦点の前で覆われる。Ｘ線源及び検出器の両方は、固定される。検査される対象物は、扇状ビームの平面に垂直な軸の周りで回転され、対象物が再現され得るようにそれらの間で扇状ビームの中に挿入される。Ｘ線管と検出器との距離、同様に、ターンテーブル上に配置される対象物の位置は、変更することができ、その結果、いずれの場合にも、幾何学的な倍率を要求にマッチさせることができる。対象物の個々の水平層は、対象物又はＸ線管及び検出器の高さを徐々に変更することによって記録される。扇状ビームを用いる代わりに、円錐ビームを用い、これを二次元の検出器に投影することも可能である。すると、層毎の走査（スキャン）を対象物のサイズに依らなくすることができる。
【０００３】
扇状ビーム断層撮影法では、検査される対象物の全体が扇状ビームの中のセクション平面断面内に位置し、投影が少なくとも１８０°プラス扇状ビームの開口角度から記録されるので、完全な測定されたデータ記録が作成される。この方法は高速であるが、扇型ビームのサイズがこの配置で断面撮影できる対象物の最大サイズを決定する。このサイズは、測定円とも呼ばれる。その関係は、逆にも当てはまり、即ち、より大きな対象物を断面撮影することができるためには、測定円がより大きくなければならず、即ち、より大きな開口角度を有する扇状ビーム、延いてはより大きな検出器も用いられる。この方法では、比較的小さな対象物でさえ、長い検出器や焦点と検出器との間に大きな距離を有する大きな装置を必要とする。技術的な限界は、開口角度及び検出器のサイズを制限する放射線源の放射の最大角度に起因する。
【発明の開示】
【発明が解決しようとする課題】
【０００４】
扇状ビームが対象物全体をカバーしない場合には、この扇状ビームは、放射線源及び検出器又は対象物を横向きに移動させることによって、人工的に広げることができる。これは、並進／回転の断層撮影法（トモグラフィー）である。しかしながら、この場合は交互の直線及び回転の動作が必要となり、それは、多大な時間を必要とする上に、カバーされる長さ全体に亘って並進動作に直線状の軸が必要となり、それは、扇状ビームの平面に対する回転軸の垂直な配置を高い精度で保証しなければならない。
【０００５】
仮に、二次元の扇状ビームの代わりに三次元の円錐ビームが用いられる場合には、利用可能な検査体積は、Ｘ線源の焦点と、大抵四角形状の二次元表面検出器のコーナー又は挿入された画像記録機器の端の輪郭との間で制限される。その他の点では、上記の内容が類推によって当てはまる。
【０００６】
検査される典型的な対象物のサイズ及び数量の分布に鑑みると、小さな対象物が頻繁に多くて大きな対象物が少なく、これまでは、いかなる場合でも大きな対象物が検査可能なように検査装置を設計する必要があった。欠点は、検査装置全体のサイズに関して、及び、達成可能な測定時間に関して、これに起因するものである。
【０００７】
本発明の目的は、明らかに異なるサイズの対象物の検査に対して、従来に比べて機械的に簡素化され、コンパクト且つ迅速なＸ線ＣＴ検査装置を提供することである。これに対して、かかるＸ線ＣＴ装置の操作方法も提供されることとなる。
【課題を解決するための手段】
【０００８】
該目的は、請求項１の特徴を有するＸ線ＣＴ検査装置によって達成される。検査台車を測定線上の測定点に固定できるので、機器は簡単な機械的構造を有する。焦点を通りＸ線の中心軸に対して傾斜角を有する直線上に測定線を調整することによって、検査されることとなる所定のサイズの対象物は、最先端の並進運動／回転の断層撮影法及び扇状ビーム断層撮影法に従う装置の場合よりも小さな装置によって検査することができる。これは、測定線と扇状ビームの境界光線の１つとの距離が中心軸からそれぞれの境界光線までの距離よりいつも大きいからである。本発明に従って、測定点が１つのみの単一の場合もある。それによって、非常に簡素な機械的な構造のデザインが得られる。ただし、本発明に従って、検査台車を固定することができる測定点の列の全体であることも同様に可能である。従って、柔軟な検査配置を作り出すことができ、それによって、様々なサイズの対象物を非常に簡単な方法によって容易且つ迅速に検査することができる。
【０００９】
扇状ビーム又は円錐ビームの中心軸と測定線との間の傾斜角は、好ましくは５°と４０°の間である。従って、同じ全高のために測定される対象物のサイズの明確な拡大がある。或いは、Ｘ線ＣＴ検査装置の全高は、所定の対象物のサイズのために減少させることができる。傾斜角は、特に好ましくは１５°である。
【００１０】
特に発明の好適な具体例は、測定線が検出器の表面に直交すると規定する。かかる構造によって、装置の幾何学に起因する歪みがないので、取得された測定データに幾何学的な調整を行う必要はない。さらに、そのような配置を実現することは、非常に簡単である。
【００１１】
発明のさらなる有利な発展は、検出器がドライブユニットと接続され、扇状ビームの平面内において、又は、円錐ビームの場合には検出器の平面内において、測定線に対して垂直に変位可能であると規定する。従って、簡単な機械的な費用によって、現実に存在する検出器よりも大きい仮想的な検出器を作り出すことができる。中心軸は、好ましくは、統合した―仮想的な―検出器と中心で交わる。所定の検出器サイズをいくつかの固定された位置から合成する従来の測定円の拡張とは異なり、検出器の自由な変位によって、その全長、延いては測定されたデータの全てが損失なしにここで用いることができる。
【００１２】
発明の別の好ましい発展は、測定線ではなく、扇状ビーム又は円錐ビームの中心軸が検出器の表面と直交すると規定する。従って、―既に上述された―利点により、装置の所定のサイズに対してより大きい対象物でも検査できること、又は、測定点から境界光線のうちの一方までの距離が中心軸からよりも大きいため、対象物の所定のサイズに対してサイズを減少させることのどちらをも生じさせる。この場合、最大のライン長は、Ｘ線管の放射角度を完全に利用することによって保証されるが、取得されたデータの幾何学的な調整を受け入れなければならない。
【００１３】
発明のさらなる有利な発展は、検査台車を測定線の上の測定点で連続的に調整することができると規定する。従って、連続的に倍率を変更することが可能である。さらに、全てを適切に検査することができる、対象物サイズの大きな帯域幅も可能となる。
【００１４】
発明のさらなる有利な発展は、測定線が、検査台車が移動可能なガイドレールによって具体化されると規定する。従って、非常にシンプルな機械的構造が得られ、それは、同時に、検査台車延いては回転軸の非常に精密な位置を可能とする。これによって、検査台車が連続的に―即ち、検査線の全ての点において―、個々の点の列において、―即ち、所定のサイズの対象物を検査するために―固定され、或いは、単一の点で固定される。
【００１５】
本発明のさらなる有利な発展は、全ての測定点において、検査される対象物をその上に固定させた状態で、検査台車が自由回転すると規定する。どの場合でも、ＣＴ方法に必要な全てのデータは、対象物を検査する際に得られる。
【００１６】
発明のさらなる有利な発展は、後者が、対象物の回転の間、全ての測定点において、焦点から出て検出器とその端で交わる境界光線の中に常にとどまることを規定する。従って、検査に必要な全ての対象物データを検出器の変位又は必要な測定線に対する直角な回転軸の移動なしで取得できることが同様に保証される。
【００１７】
さらに、目的は、請求項１１の特徴を有するＣＴ方法によっても達成される。検査台車の回転軸が扇状ビームの中で焦点の近傍に空間的に固定され、回転軸の周りでの回転の間に、対象物が決して両方の境界光線を超えて突出しないので、本発明に従うＸ線ＣＴ装置に関連して既に上で述べられた利点が達成される。即ち、より小さな検出器を用いることができる可能性及びその結果所定のサイズの対象物の検査に対するより小サイズのＸ線ＣＴ検査装置である。これは、既知のＸ線ＣＴ方法に対して費用の節約となる。少なくとも、好ましい部分的扇状手続は、―対象物の全体がいずれにせよ未だビームウィンドウの中になければ―前述の利点とともに用いることができる。さらに、回転軸は、対象物を検査するために位置決めされた点においてのみ、できる限り正確に扇状ビームの平面に直交させる必要がある。部分的扇状手続とは、この出願の内容では、完全な情報の半分が他方側のデータから生成される半分の検出器の方法と異なり、このような方法で検査される真っ最中の領域が測定された“重なり”である間のみ、特定の領域のみを人工的に作り出す方法が意味されている。データの計算によってより好ましい信号対雑音比を実現することができる。画像の中心のみで計算が非常に正確であることは興味深い―それは、必ずしも部分の中心である必要はない。
【００１８】
さらに、該目的は、請求項１２の特徴を有するＣＴ方法によっても達成される。対象物の配置がそのサイズに依存するので、小さな第１の対象物は、扇状ビームによって全体的に貫かれるように置かれ、これによって、これら小さい対象物が非常に高速で検査されることとなる。また、扇状ビームによって全体的には貫かれないより大きな第２の対象物は、検出器の近傍に置かれ、扇状ビーム断層撮影が実行され得る。これも、並進／回転の断層撮影法よりもかなり高速な方法である。さらに、中くらいのサイズの対象物は、低い倍率（即ち、検出器の近傍）において、完全なビームで、延いてはより迅速に検査されることも、多少遅いものの、部分的又はハーフビームの方法でより高い倍率において検査することもできる。本発明によると、より大きな第２の対象物の場合では、測定円が決して２つの境界光線を超えて突出しないように、回転軸が置かれることのみ保証されればよい。
【００１９】
本発明の有利な発展は、第１の対象物が、検査のために、検査全体に亘って扇状ビーム又は円錐包絡線ビームを超えて突出しない程度に焦点から離れて測定線上に配置されると規定する。従って、それは、扇状ビーム断層撮影法を用いて、最大の大きさの小さな第１の対象物を断層撮影することが可能である。
【００２０】
本発明のさらなる有利な発展は、第２の対象物は、検査のために、検査全体に亘って２つの境界光線を超えて突出しないように、焦点から離れて測定線上に配置されると規定する。従って、可能な限り大きな第２の対象物を扇状ビーム断層撮影法によって断層撮影することが可能である。
【００２１】
本発明のさらなる有利な発展は、測定の間、検出器がその一端位置から（一つ又は複数の）他端位置までドライブユニットによって移動すると規定する。従って、機器について既に上で述べられたように、現実に存在する検出器よりも大きな検出器の統合が達成される。結果として、検査されるより大きな対象物が機器の一定のサイズのために検査することもでき、サイズは対象物の所定のサイズのために減少させることもできる。
【発明を実施するための最良の形態】
【００２２】
本発明のさらなる利点及び詳細は、具体例の助けとともに説明され、図面に表され、下に説明される。
【００２３】
以下では、２つの具体例については、扇状ビーム３が存在するものと仮定する。ただし、その記述は、円錐ビームにも同じように当てはまり、当業者であれば原則として装置の異なる幾何学を知っているので、そのことは彼らにとって明らかであり、彼らは扇状ビーム３を有する発明に従って具体例を円錐ビームに容易に変えることができる。
【００２４】
図１には、Ｘ線ＣＴ検査装置の平面図が示されている。Ｘ線管１は、扇状ビーム３の形でＸ線ビームが広がる焦点２を有する。この扇状ビーム３は、全体が扇状ビーム３によってＸ線放射される検出器４に触れる。かかる配置は、産業用ＣＴから周知である。検出器４と焦点２との距離は、検査される対象物の画像をできる限り良好に得るために、変更することができる。検査される対象物の扇状ビーム３の平面内の薄い部分のみが扇状ビーム３によって断層撮影されるので、Ｘ線管１及び検出器４の両方が垂直に動くことができる。検査される対象物は、層毎にＸ線放射される。或いは、対象物の高さを変更すること、又は、両方の方法を組み合わせることも可能である。
【００２５】
焦点２と検出器４との間には、検査される対象物を取り付けることができる台車（図示しない）が配置される。検査台車は、扇状ビーム３の平面と垂直な回転軸５の周りで回転する。従って、対象物のデータ記録は、様々な照射パスに沿って生成される。次に、検査される対象物は、これらのデータ記録から再現される。これは、検査される対象物中の欠陥、例えば鋳造物の中の不良、又は幾何学的特性の解明の非破壊分析である。
【００２６】
様々なサイズの対象物は、異なるサイズの測定円１２，１３を有する。一方では、測定円１２，１３は、対象物の形と検査の間に対象物が回転する回転軸５の位置とによって決定される。測定円１２，１３の半径は、対象物の任意の点の中で回転軸５から最も遠い距離と一致する。“回転対称”輪の場合には、それが検査台車に取り付けられるならば、これは輪の半径と一致し、その中心が回転軸５と一致する。
【００２７】
以前に、測定円１２が扇状ビーム３の中に完全に置かれる対象物を扇状ビームＸ線断層写真撮影法によって検査することが可能であった。後者が非常に小さな倍率の程度によってのみ記録可能であったので、それらが検出器４の直近に配置される必要があったので、これは、最も大きな可能性のある対象物を大いに制限した。他方では、より小さな測定円１２を有するより小さな対象物によって、中心軸６に沿って扇状ビーム３の中に検出器４からより遠い距離にこれらを置くことが可能であった。
【００２８】
より大きい測定円１３によって対象物を断層撮影するために、以前に、上記の説明された並進／回転の断層撮影法を用いる必要があり、それは、実現するのに時間がかかり且つ技術的により高価であった。かかる大きな対象物に対する他の可能性は、部分的扇状手続を用いることであった。
【００２９】
本発明は、ここで、同じＸ線ＣＴ検査装置における扇状ビーム断層撮影法及び部分的扇状手続の両方を実行する可能性を広げる。従って、それは、対象物延いてはその測定円１２，１３のサイズに従って、いずれの場合にも、個々に適当な方法を用意することが可能である。
【００３０】
可能な限り高速な測定を実現するために、扇状ビーム断層撮影法は、通常、小さな対象物に対しては、全体的に扇状ビーム３の中にある第１の測定円１２を用いて実行される。しかし、幾何学の画像条件が各アプリケーションにおいて改善することができるならば、部分的扇状手続は、かかるより大きな対象物の場合にも、第１の測定円１２によって実行することができる。その結果として、部分的扇状手続によって、所定の測定円１２，１３を有する対象物を焦点２のより近くに配置することができ、尚且つ、信頼性のあるＸ線検査が実現される。
【００３１】
測定線９を軸６に対して傾き角度α傾けることによって、測定線９、又は、その仮想の延長は、検出器４とは中心的に交わらない。これは、扇状ビーム断層撮影法が、検査線９が中心軸６に沿っていた場合よりも小さな対象物に対してのみ実行することができることを意味する。同じサイズの第１の測定円１２を有する対象物に対する２つの測定点１５が示されるので、このことは、図１から明確になる。左手の測定点１５の場合では、回転軸５が焦点２の近くに位置するので、第１の測定円１２は、全体的に扇状ビーム３の中に位置しない。従って、この測定点１５では、対象物を回転軸５の周りに回転１０させることによって、部分的扇状手続のみが可能である。他方では、後者は、同じ測定円１２に対する右手の測定点１５において、扇状ビーム３によって完全にカバーされている。従って、この場合には、扇状ビーム断層撮影を実行することができる。これはより速いが、左手の測定点１５での拡大率がより大きく、従って、いずれの場合にも必要な方法を選択することができる。
【００３２】
より大きな第２の測定円１３を有する対象物に対しては、部分的扇状手続が用いられる。測定点１５は、回転軸５の周りに回転１０する間にちょうど検出器４の表面に到達するように選択される。従って、できる限り大きな第２の測定円１３が十分に利用される。
【００３３】
全ての測定円１２，１３に関しては、検出器４に対する必要な自由回転可能性、―延いてはそれから測定点１５までの十分な距離―、に加えて、それが境界光線７，８の両方を超えて突出しないことも必要である。さもなければ、部分的扇状手続を用いることができないが、並進／回転断層撮影法に従って、測定線９に垂直な測定点１５の変位を実行する必要があるであろう。しかし、これは、機器に対してかなりの追加の機械的な費用をもたらすであろう。
【００３４】
従って、図１に従う発明に従う機器は、異なるサイズの対象物―実際、そのサイズは著しく様々であり得る―を検査するのに大変適している。直線的な動きは、異なるサイズの対象物のいずれに対する測定手続の間においても必要ではなく、寧ろ、単に回転軸５の周りの回転１０のみである。従って、かなりの時間が節約される。
【００３５】
対象物が測定線９上の測定点１５においていずれの場合も記録され、台車が１自由度のみ移動するので、構造の単純化が実現される。従って、直線的なスキャンが必要とされない。画像処理条件は、解像度に関しては、測定線９上の回転軸５の位置を経由して最適化することができる。従って、部分的扇状手続によって、特に断層撮影装置において、低い倍率―第１の測定円１２の右手位置に示されるように―、及び、高い倍率―第１の測定円１２において左手に示される―の両方が可能である。
【００３６】
装置が常に同じ所定の対象物を検査することとなっている場合には、それらのサイズ及び頻度の分布は、フィールドサイズ及び測定時間については、検出器４の長さ、及び、その横方向の変位―これは、中心軸６に対して傾斜角αで傾斜することから得られる―を最適化するために用いることができる。測定線９が検出器４に対して直交させて配置されるため、線形状の幾何学的な調整は必要ない。
【００３７】
本発明に従う機器は、仮想的に存在する測定線９上の個々の測定点１５において回転軸５の固定が一つのみ可能なように、“スリムダウンしたバージョン”で設計することができる。そのとき、この仮想的な測定線９に沿って検査台車が動作することは不可能である。従って、より一層簡単な構造、延いてはより低いコストが実現される。
【００３８】
本発明に従うＸ線ＣＴ検査装置の図２に示される別の具体例は、図１のものと原理上構造的に非常に類似している。この理由から、図１の第１の具体例と比較した相違のみがより詳細に説明される。同一の、または同じ作用効果を有する部分には、同じ参照番号が与えられる。
【００３９】
図１の第１の具体例と図２の第２の具体例との主な相違は、扇状ビーム３の中心軸６が検出器４の表面に垂直であり、そして、もはや測定線９ではないことである。ここで測定線９が中心軸６に対して傾斜角αで傾いているので、一見傾斜している検出器４の線形状の角度依存の補正が、検査の間に取得された対象物データとともに得られる。
【００４０】
任意の望ましい傾斜角αを原則的に選択することができ、最適な傾斜角αは、検出器のサイズ及び焦点２と検出器４との距離とともに、検査される対象物のサイズ及び頻度の分布から計算される。従って、フィールドサイズ及び測定時間は、選択された傾斜角αによって最適化することができる。
【００４１】
図２の具体例では、３つの異なる測定点１５が与えられ、左手の測定点１５の場合では、非常に小さな第１の測定円１２が扇状ビーム３の中にあり、その結果、扇状ビーム断層撮影を実行することができる。第２の測定円１３は、第１の測定円１２よりもかなり大きく、扇状ビーム３を完全に覆うことを可能とする測定線９上のどの点にも置くことができない。従って、それは、検出器４に可能な限り近い状態とされ、部分的扇状断層撮影はここで実行される必要がある。中くらいのサイズの第３の測定円１４を有する第３の測定点１５は、―検出器４から十分な距離を与えられるとして―、第１の境界光線７及び第２の境界光線８の両方の中に位置するのに実に十分に大きい。従って、扇状ビーム断層撮影は、（第１の測定円１２に関しては）そのために実行することができる。
【００４２】
この機器によって、また、自由度を有する連続的な動作のみが測定線９に沿って起こる。別個の測定点１５の場合には、それに対する固定のみが可能である。直線状の走査軸は必要なく、これにより、構造が単純化されることとなる。この機器によって、また、―上述したように―分解能についての画像処理条件の最適化が可能であり、その結果、完全な扇状ビーム３における低い倍率及び部分的扇状手続を伴う高い倍率の両方において、小さな対象物を断層撮影することができる。
【００４３】
全体としては、図２に従う具体例によって、Ｘ線管１の放射角度を十分に利用することによる最大の線長によって、最適化された幾何学が得られる。ただし、幾何的な補正は必要である。
【００４４】
最終的に、次の利点が両方の具体例によって達成される。検出器４の長さを最大の達成可能な測定円１２，１３，１４の割に減少させることが可能であり、従って、機器の費用が減少する。さらに、焦点２と検出器４との距離を減少させることができ、―それは、測定時間の短縮をもたらし―、また、装置のサイズの減少が達成され、―それは、装置の費用の減少をもたらす。より小さなサイズによって、費用の節約とともに、保護ケースもサイズを減少させることができる。
【図面の簡単な説明】
【００４５】
【図１】本発明に従う、検査線が検出器の表面と直交するＸ線ＣＴ検査装置の第１実施形態の概略平面図
【図２】本発明に従う、Ｘ線ビームの中心軸が検出器の表面と直交するＸ線ＣＴ検査装置の第２実施形態の概略平面図
【符号の説明】
【００４６】
１    Ｘ線管
２    焦点
３    扇状ビーム
４    検出器
５    回転軸
６    中心軸
７    第１の境界光線
８    第２の境界光線
９    測定線
１０  回転
１１  検出器の端
１２  第１の測定円
１３  第２の測定円
１４  第３の測定円
１５  測定点
α    傾斜角
【図１】
2008064758.tif 000003
【図２】
2008064758.tif 000004
【外国語明細書】
2008064758.tif 000005
2008064758.tif 000006
2008064758.tif 000007
2008064758.tif 000008
2008064758.tif 000009
2008064758.tif 000010
2008064758.tif 000011
2008064758.tif 000012
2008064758.tif 000013
2008064758.tif 000014
2008064758.tif 000015
2008064758.tif 000016
2008064758.tif 000017
2008064758.tif 000018
2008064758.tif 000019
2008064758.tif 000020
2008064758.tif 000021
2008064758.tif 000022
2008064758.tif 000023
2008064758.tif 000024
【FiG1】
2008064758.tif 000025
【FiG2】
2008064758.tif 000026